(57)【要約】【課題】磁気ディスクカートリッジ、およびこの磁気ディスクカートリッジに対応した磁気ディスクドライブにおいて、磁気ディスクメディアからのデータ転送速度を向上させる。【解決手段】磁気ディスクカートリッジ１０のハウジング１１の左右に、それぞれ磁気ディスクメディア１４の一部を露出させて記録再生部の磁気ヘッドをアクセスさせるための磁気ヘッド挿入部１１ｃおよび１１ｄを設ける。また、磁気ディスクドライブ２０に、磁気ヘッド挿入部１１ｃおよび１１ｄの位置に対応して２つの記録再生部２１および２２を設ける。磁気ディスクメディア１４に対して記録再生を行う際、２つの記録再生部により並列的に記録再生を行うことにより、データ転送速度を向上させる。【選択図】　　　　　図１
2004022029.tif 000002
【特許請求の範囲】
【請求項１】
円盤状の磁気ディスクメディアを内蔵し、磁気ディスクドライブが備える記録再生用磁気ヘッドがアクセスするための開口部を備えたハウジングと、該開口部を開閉するように移動可能なシャッター部材とを備え、前記磁気ディスクドライブへの挿入に伴って前記シャッター部材が、前記磁気ディスクドライブが備えているシャッター開閉部材によって前記開口部を開放する位置に移動せしめられる磁気ディスクカートリッジにおいて、
前記ハウジングが、前記開口部を複数備えていることを特徴とする磁気ディスクカートリッジ。
【請求項２】
請求項１記載の磁気ディスクカートリッジに対応した磁気ディスクドライブであって、
前記磁気ディスクメディアに対して記録再生を行う磁気ヘッドを、前記磁気ディスクカートリッジの前記複数の開口部に対応して複数備えたことを特徴とする磁気ディスクドライブ。
【発明の詳細な説明】
【０００１】
【発明の属する技術分野】
本発明は、ケース内に円盤状の磁気ディスクメディアを収容した磁気ディスクカートリッジ、およびその磁気ディスクメディアに記録再生を行う磁気ディスクドライブに関するものである。
【０００２】
【従来の技術】
従来より、フレキシブルなポリエステルシート等からなる円盤状のベースの両面に磁性層が形成され、この磁性層に磁気ヘッドを用いて信号を磁気記録し得るフレキシブルディスクが磁気ディスクメディアの一種として提供されている。
【０００３】
このフレキシブルディスクは通常、円盤状の中心部に硬質のセンタコアが装着され、全体がプラスチック製または金属製のシェルに収められたディスクカートリッジとして提供されており、その取扱いの容易性、低コストといった利点から、主としてコンピュータ用の記録媒体として用いられている。
【０００４】
【発明が解決しようとする課題】
ところで、近年、ＣＰＵの処理能力の向上、メインメモリやハードディスク等の容量の増加等によりコンピュータの性能が向上するにつれて、コンピュータ上で高品質の音声や動画等のデータが一般的に扱われるようになってきている。
【０００５】
近年では、音声や動画等のデータファイルでは、数ＭＢ〜数十ＭＢ程度のサイズのファイルを扱うことが珍しくなくなっており、このようなサイズの大きいファイルを磁気ディスクメディアに対して高速に記録または再生する際には、相応のデータ転送速度が必要とされる。
【０００６】
また、磁気ディスクメディアから音声や動画等のデータを直接再生する場合には、音声や動画等のデータのサンプリングレート以上の速さのデータ転送速度でないと、データの再生を行うことができないといった問題もある。
【０００７】
このようにコンピュータでサイズの大きいデータが扱われるようになると、コンピュータと磁気ディスクカートリッジとの間の高いデータ転送速度が要求されるようになる。
【０００８】
本発明は上記のような要求に応えてなされたものであり、高いデータ転送速度で記録再生を行わせることが可能な磁気ディスクカートリッジ、およびその磁気ディスクカートリッジに対応した磁気ディスクドライブを提供することを目的とするものである。
【０００９】
【課題を解決するための手段】
本発明による磁気ディスクカートリッジは、円盤状の磁気ディスクメディアを内蔵し、磁気ディスクドライブが備える記録再生用磁気ヘッドがアクセスするための開口部を備えたハウジングと、この開口部を開閉するように移動可能なシャッター部材とを備え、磁気ディスクドライブへの挿入に伴ってシャッター部材が、磁気ディスクドライブが備えているシャッター開閉部材によって開口部を開放する位置に移動せしめられる磁気ディスクカートリッジにおいて、ハウジングが、開口部を複数備えていることを特徴とするものである。
【００１０】
また、本発明による磁気ディスクドライブは、上記磁気ディスクカートリッジに対応した磁気ディスクドライブであって、磁気ディスクメディアに対して記録再生を行う磁気ヘッドを、磁気ディスクカートリッジの複数の開口部に対応して複数備えたことを特徴とするものである。
【００１１】
【発明の効果】
本発明による磁気ディスクカートリッジによれば、ハウジングに、磁気ディスクドライブが備える記録再生用磁気ヘッドがアクセスするための開口部を複数設けたことにより、一枚の磁気ディスクメディアに対して複数の磁気ヘッドを同時にアクセスさせることが可能であるため、磁気ディスクドライブに対して高いデータ転送速度により記録再生を行わせることができる。
【００１２】
また、本発明による磁気ディスクドライブによれば、本発明による磁気ディスクカートリッジに対応させて複数の磁気ヘッドを設けたことにより、この磁気ディスクカートリッジ（磁気ディスクメディア）に対して高いデータ転送速度で記録再生を行うことができる。
【００１３】
【発明の実施の形態】
以下、図面に示す実施の形態に基づいて本発明を詳細に説明する。図１は第１の実施の形態における磁気ディスクカートリッジおよび磁気ディスクドライブの概略図、図２はこの磁気ディスクカートリッジの構成図である。
【００１４】
磁気ディスクカートリッジ１０は、上シェル１１ａおよび下シェル１１ｂの接合により構成されるハウジング１１内に、シャッター部材１２、および、センタコア１３に固着保持された磁気ディスクメディア１４を回転可能な状態で収納したものである。
【００１５】
ハウジング１１には、磁気ディスクメディア１４の一部を露出させて後述する磁気ディスクドライブが備える記録再生部の磁気ヘッドをアクセスさせるための磁気ヘッド挿入部が、ハウジング１１の左右に合計２箇所（磁気ヘッド挿入部１１ｃおよび１１ｄ）設けられている。この磁気ヘッド挿入部１１ｃおよび１１ｄは、それぞれ、後述の記録再生部２１および２２の磁気ヘッドがアクセスした際に、記録再生部２１および２２のサスペンション部材および磁気ヘッドがハウジング１１に干渉しないように、各記録再生部のサスペンション部材および磁気ヘッドの軌道に略沿った形状をしている。
【００１６】
シャッター部材１２は、略円形状の上下パーツ１２ａおよび１２ｂにより磁気ディスクメディア１４を挟むように構成され、ハウジング１１の磁気ヘッド挿入部１１ｃおよび１１ｄに対応して、２箇所の開口部１２ｃおよび１２ｄが設けられており、１つのシャッター部材１２により２箇所の磁気ヘッド挿入部１１ｃおよび１１ｄを開閉できるようになっている。下パーツ１２ｂには、後述の磁気ディスクドライブ２０が備えるシャッター開閉部材に係合させるための凸部１２ｃが設けられている。このシャッター部材１２はスプリング１５により閉位置方向に付勢されている。
【００１７】
また、磁気ディスクドライブ２０は、磁気ディスクカートリッジ１０に内蔵された円盤状の磁気ディスクメディア１４に対して記録再生を行うための２つの記録再生部２１および２２と、記録再生部２１および２２に接続されたサブバッファ２４および２５と、サブバッファ２４および２５に接続されたメインバッファ２３と、磁気ディスクメディア１４を回転駆動する図示しない磁気ディスク駆動部とを備える。
【００１８】
第１の記録再生部２１及び第２の記録再生部２２はそれぞれ同様の構成であるため、以下に第１の記録再生部２１のみ説明し、第１の記録再生部２１の各部品と対応する第２の記録再生部２２の部品の番号を（）内に記載する。
【００１９】
第１の記録再生部２１（第２の記録再生部２２）は、磁気ディスクメディア１４の上下面に対応して設けられた１対のサスペンション部材２１ｂ（２２ｂ）およびこのサスペンション部材２１ｂ（２２ｂ）の先端に取り付けられた磁気ヘッド２１ａ（２２ａ）を備える。
【００２０】
磁気ヘッド２１ａ（２２ａ）は、スライダーを備えており、このスライダーの一部には、記録再生用のヘッドギャップを有する薄膜磁気ヘッド等が固着されて構成されている。上記スライダーは、その設定形状に伴い、磁気ディスクメディア１４の回転によって発生する気流により、磁気ディスクメディア１４の表面から浮上する圧力、又は、磁気ディスクメディア１４の表面に吸着する圧力を生じるものであり、磁気ディスクメディア１４の高速回転に伴ってその表面に接離移動する。そして、前記サスペンション部材２１ｂ（２２ｂ）のバネ付勢力との関係によって、磁気ヘッド２１ａ（２２ａ）の接触荷重が所定の値となるように設定される。
【００２１】
上下２つのサスペンション部材２１ｂ（２２ｂ）は、サスペンション支持部２１ｃ（２２ｃ）に保持されている。サスペンション支持部２１ｃ（２２ｃ）は、サスペンション部材２１ｂ（２２ｂ）に保持されている磁気ヘッド２１ａ（２２ａ）が磁気ディスクメディア１４のセンタコア１３の領域を除く中心部分から外周部分までの間を移動可能なように左右に回転する。
【００２２】
第１の記録再生部２１は、磁気ディスクカートリッジ１０の左側に配置され、待機位置より左回転して磁気ディスクメディア１４にアクセスしに行く。第２の記録再生部２２は、磁気ディスクカートリッジ１０の右側に配置され、第１の記録再生部２１と同じく待機位置より左回転して磁気ディスクメディア１４にアクセスしに行く。
【００２３】
上記のように構成された第１の記録再生部２１及び第２の記録再生部２２のそれぞれの上下の磁気ヘッド２１ａおよび２２ａによって磁気ディスクメディア１４を挟む状態で接触させて磁気ディスクメディア１４を安定して回転させるようにしている。
【００２４】
磁気ディスク駆動部は、磁気ディスクカートリッジ１０を所定位置に保持すると共に、磁気ディスクメディア１４のセンタコア１３を図示しないスピンドル軸およびハブチャックによってチャッキングし、図示しない駆動モータによってこのスピンドル軸およびハブチャックを駆動して磁気ディスクメディア１４を所定回転数で回転させる。また、前記磁気ディスクカートリッジ１０の挿入動作に連係して図示しないシャッター開閉部材をシャッター部材１２の凸部１２ｃに係合させて、このシャッター開閉部材によりシャッター部材１２を開位置方向へ回転させて、磁気ヘッド挿入部１１ｃおよび１１ｄより磁気ディスクメディア１４を露出させる。
【００２５】
上記のように構成された磁気ディスクドライブ２０により磁気ディスクメディア１４に対して記録を行う際は、外部機器７０から入力されるデータを所定量ずつメインバッファ２３に記憶する。メインバッファ２３は、記憶したデータを２分割して第１のサブバッファ２４および第２のサブバッファ２５に出力する。第１のサブバッファ２４および第２のサブバッファ２５にデータが入力された後、第１のサブバッファ２４に記憶されているデータを第１の記録再生部２１により、第２のサブバッファ２５に記憶されているデータを第２の記録再生部２２により同時に磁気ディスクメディア１４に対して記録する。メインバッファ２３は、データを第１のサブバッファ２４および第２のサブバッファ２５に出力した後、次のデータを記憶する。以後、上記の動作を繰り返す。
【００２６】
また、磁気ディスクメディア１４から再生を行う際は、第１の記録再生部２１および第２の記録再生部２２により同時に磁気ディスクメディア１４より所定量ずつデータを読み取り、第１のサブバッファ２４および第２のサブバッファ２５に記憶する。第１のサブバッファ２４および第２のサブバッファ２５は、所定量のデータが記憶された時点で、それぞれデータをメインバッファ２３に出力する。メインバッファ２３は、第１のサブバッファ２４および第２のサブバッファ２５から入力されたデータを外部機器７０に出力する。第１の記録再生部２１および第２の記録再生部２２は、第１のサブバッファ２４および第２のサブバッファ２５がデータをメインバッファ２３に出力した後、次のデータを読み取る。以後、上記の動作を繰り返す。
【００２７】
上記の様に２つの記録再生部により並列的に記録再生を行うことにより、記録再生部を１つしかもたない通常のドライブに比べて、磁気ディスクメディアに対するデータ転送速度を倍にできるため、通常のドライブに比べ略半分の時間で記録再生を行うことができる。
【００２８】
次に、本発明の第２の実施の形態について説明する。図３は本実施の形態における磁気ディスクカートリッジおよび磁気ディスクドライブの概略図である。なお、図３ではメインバッファおよびサブバッファを省略して表示する。
【００２９】
本実施の形態は、第１の実施の形態と比較して、磁気ディスクカートリッジにおいて磁気ヘッド挿入部の数および形状、磁気ディスクドライブにおいて２つの記録再生部の配置位置を変更した点が異なるものである。
【００３０】
磁気ディスクドライブ４０の第１の記録再生部４１は磁気ディスクカートリッジ３０の上側に、第２の記録再生部４２は磁気ディスクカートリッジ３０の右上側に配置され、いずれも待機位置より左回転して磁気ディスクメディア３４にアクセスしに行く。
【００３１】
磁気ディスクカートリッジ３０のハウジング３１の上部には、磁気ディスクメディア３４の一部を露出させて、磁気ディスクドライブ４０の２つの記録再生部４１および４２の磁気ヘッドをアクセスさせるための磁気ヘッド挿入部３１ｃが設けられている。この磁気ヘッド挿入部３１ｃは、２つの記録再生部４１および４２の磁気ヘッドがアクセスした際に、記録再生部４１および４２のサスペンション部材および磁気ヘッドがハウジング３１に干渉しないように、各記録再生部のサスペンション部材および磁気ヘッドの軌道に略沿った形状をしている。また、シャッター部材３２にも、ハウジング３１の磁気ヘッド挿入部３１ｃに対応して、開口部３２ｃが設けられている。
【００３２】
本実施の形態においても第１の実施の形態と同様の効果を得ることができる。
【００３３】
次に、本発明の第３の実施の形態について説明する。図４は本実施の形態における磁気ディスクカートリッジおよび磁気ディスクドライブの概略図である。なお、図４ではメインバッファおよびサブバッファを省略して表示する。
【００３４】
本実施の形態は、第２の実施の形態と比較して、磁気ディスクカートリッジにおいて磁気ヘッド挿入部の形状、磁気ディスクドライブにおいて２つの記録再生部の配置位置を変更した点が異なるものである。
【００３５】
磁気ディスクドライブ６０の第１の記録再生部６１は、磁気ディスクカートリッジ５０の上側に配置され、待機位置より左回転して磁気ディスクメディア５４にアクセスしに行く。第２の記録再生部６２は、磁気ディスクカートリッジ５０の上側に配置され、待機位置より右回転して磁気ディスクメディア５４にアクセスしに行く。
【００３６】
磁気ディスクカートリッジ５０のハウジング５１の上部には、磁気ディスクメディア５４の一部を露出させて、２つの記録再生部の磁気ヘッドをアクセスさせるための磁気ヘッド挿入部５１ｃが設けられている。この磁気ヘッド挿入部５１ｃは、２つの記録再生部６１および６２の磁気ヘッドがアクセスした際に、記録再生部６１および６２のサスペンション部材および磁気ヘッドがハウジング５１に干渉しないように、各記録再生部のサスペンション部材および磁気ヘッドの軌道に略沿った形状をしている。また、シャッター部材５２にも、ハウジング５１の磁気ヘッド挿入部５１ｃに対応して、開口部５２ｃが設けられている。
【００３７】
本実施の形態においても第１の実施の形態と同様の効果を得ることができる。
【００３８】
なお、磁気ディスクドライブに２つの記録再生部を設け、磁気ディスクカートリッジのハウジングに２つの記録再生部に対応した磁気ヘッド挿入部を設ける態様は、上記第１から第３の実施の形態で説明した態様に限定されるものではない。
【００３９】
また、上記第１から第３の実施の形態では、磁気ディスクドライブに２つの記録再生部を設け、磁気ディスクカートリッジのハウジングに２つの記録再生部に対応した磁気ヘッド挿入部を設ける例について説明したが、本発明による磁気ディスクカートリッジおよび磁気ディスクドライブは上記の例に限定されるものではなく、磁気ディスクドライブに３つ以上の複数の記録再生部を設け、磁気ディスクカートリッジのハウジングに３つ以上の複数の記録再生部に対応した磁気ヘッド挿入部を設けてもよい。
【図面の簡単な説明】
【図１】第１の実施の形態の磁気ディスクカートリッジおよび磁気ディスクドライブの概略図
【図２】第１の実施の形態の磁気ディスクカートリッジの構成図
【図３】第２の実施の形態の磁気ディスクカートリッジおよび磁気ディスクドライブの概略図
【図４】第３の実施の形態の磁気ディスクカートリッジおよび磁気ディスクドライブの概略図
【符号の説明】
１０、３０、５０　　磁気ディスクカートリッジ
１１、３１、５１　　ハウジング
１２、３２、５２　　シャッター部材
１３　　センタコア
１４、３４、５４　　磁気ディスクメディア
１５　　スプリング
２０、４０、６０　　磁気ディスクドライブ
２１、４１、６１　　第１の記録再生部
２２、４２、６２　　第２の記録再生部
２３　　メインバッファ
２４　　第１のサブバッファ
２５　　第２のサブバッファ
７０　　外部機器
【図１】
2004022029.tif 000003
【図２】
2004022029.tif 000004
【図３】
2004022029.tif 000005
【図４】
2004022029.tif 000006